(57)【要約】【課題】  本発明は、無線通信においてチャネルを調整するシステム及び方法を提供する。【解決手段】  一実施形態によると、無線通信の方法は、基地局の少なくとも２つの無線通信機を同時に用いることにより、無線通信ネットワークの複数の無線チャネルの第１の走査を実行する段階を有する。方法は、前記第１の走査に応答して、前記無線チャネルのうちの少なくとも２つに対してチャネル品質メトリックを決定する段階を更に有する。方法は、前記チャネル品質メトリックを決定する段階に応答して、前記複数の無線チャネルのうちの第１の無線チャネルを選択する段階を更に有する。更に、方法は、前記基地局の前記少なくとも２つの無線通信機を用いて、前記第１の無線チャネルで通信する段階を有する。【選択図】  図３
2010288280.tif 000002
【特許請求の範囲】
【請求項１】
無線通信の方法であって、
基地局の少なくとも２つの無線通信機を同時に用いて、無線通信ネットワークの複数の無線チャネルの第１の走査を実行する段階；
該第１の走査に応答して、前記無線チャネルのうちの少なくとも２つに対してチャネル品質メトリックを決定する段階；
該チャネル品質メトリックを決定する段階に応答して、前記複数の無線チャネルのうちの第１の無線チャネルを選択する段階；及び
前記基地局の少なくとも２つの無線通信機を用いて、前記第１の無線チャネルで通信する段階；
を有する方法。
【請求項２】
前記少なくとも２つの無線通信機を用いて前記第１の無線チャネルで通信する段階は、移動局と通信する段階、を有する、
ことを特徴とする請求項１に記載の方法。
【請求項３】
前記少なくとも２つの無線通信機を用いて前記第２の無線チャネルで通信する段階は、多入力多出力モードで通信する段階、を有する、
ことを特徴とする請求項２に記載の方法。
【請求項４】
有線通信ネットワークへのアクセスを提供するネットワーク・アクセス装置と通信セッションを確立する段階、及び
前記有線通信ネットワークから前記複数の無線チャネルを供給するために情報を受信する段階、
を更に有する請求項１に記載の方法。
【請求項５】
前記少なくとも２つの無線通信機のうちの第１の無線通信機が、前記第１の無線チャネルでの通信を停止する段階；
前記第１の無線通信機を用いて、前記複数の無線チャネルの第２の走査を実行する段階；
該第２の走査に応答して、前記無線チャネルのうちの少なくとも１つに対してチャネル品質メトリックを決定する段階；
前記少なくとも１つの無線チャネルのチャネル品質メトリックを決定する段階に応答して、第２の無線チャネルを選択する段階；及び
前記少なくとも２つの無線通信機を用いて、前記第２の無線チャネルで通信する段階；
を更に有する請求項１に記載の方法。
【請求項６】
無線通信の方法であって、
基地局の少なくとも２つの無線通信機を用いて、無線通信ネットワークの複数の無線チャネルのうちの第１の無線チャネルで通信する段階；
前記少なくとも２つの無線通信機のうちの第１の無線通信機が、前記第１の無線チャネルで通信するのを停止する段階；
前記第１の無線通信機を用いて、前記複数の無線チャネルの第１の走査を実行する段階；
該第１の走査に応答して、前記複数の無線チャネルのうちの少なくとも１つの無線チャネルのチャネル品質メトリックを決定する段階；
前記チャネル品質メトリックを決定する段階に応答して、前記複数の無線チャネルのうちの第２の無線チャネルを選択する段階；及び
前記基地局の前記少なくとも２つの無線通信機を用いて、前記第２の無線チャネルで通信する段階；
を有する方法。
【請求項７】
無線通信のシステムであって、
無線通信ネットワークの複数の無線チャネルの第１の走査を同時に実行し、該第１の走査に応答して、前記無線チャネルのうちの少なくとも２つに対してチャネル品質メトリックを決定する少なくとも２つの無線通信機；及び
該チャネル品質メトリックの決定に応答して、前記複数の無線チャネルのうちの第１の無線チャネルを選択し、前記少なくとも２つの無線通信機に前記第１の無線チャネルで通信するよう指示するプロセッサ；
を有するシステム。
【請求項８】
無線通信のシステムであって：
少なくとも２つの無線通信機のうちの第１の無線通信機が、無線通信ネットワークの複数の無線チャネルのうちの第１の無線チャネルで通信するのを停止し、前記第１の無線通信機を用いて前記複数の無線チャネルの第１の走査を実行し、該第１の走査に応答して、前記無線チャネルのうちの少なくとも１つに対してチャネル品質メトリックを決定する少なくとも２つの無線通信機；及び
前記無線チャネルのうちの少なくとも１つに対してチャネル品質メトリックを決定するのに応答して、前記複数の無線チャネルのうちの第２の無線チャネルを選択し、及び前記少なくとも２つの無線通信機に前記第２の無線チャネルで通信するよう指示するプロセッサ；
を有するシステム。
【発明の詳細な説明】
【技術分野】
【０００１】
本発明は、概して無線通信に関し、より詳細には無線通信のチャネルを調整するシステム及び方法に関する。
【背景技術】
【０００２】
無線通信システムは、干渉の問題に苦しんでいる。サービス品質の回復力に富む通信チャネルを確立することは、困難であり複雑である。熟練した技術者は、適切に実行される通信セッションを確立するために、無線通信装置を調整及び／又は較正する必要がある。これは、時間を要するとともに高価である。以前の解決策は、中央制御部を用い、無線ネットワークを介して通信する装置のために無線チャネルを選択することを含む。これは、堅牢性に欠け、非効率的である。
【発明の概要】
【発明が解決しようとする課題】
【０００３】
本発明は、無線通信においてチャネルを調整するシステム及び方法を提供する。
【課題を解決するための手段】
【０００４】
一実施形態によると、無線通信の方法は、基地局の少なくとも２つの無線通信機を同時に用いることにより、無線通信ネットワークの複数の無線チャネルの第１の走査を実行する段階を有する。方法は、前記第１の走査に応答して、前記無線チャネルのうちの少なくとも２つに対してチャネル品質メトリックを決定する段階を更に有する。方法は、前記チャネル品質メトリックを決定する段階に応答して、前記複数の無線チャネルのうちの第１の無線チャネルを選択する段階を更に有する。更に、方法は、前記基地局の前記少なくとも２つの無線通信機を用いて、前記第１の無線チャネルで通信する段階を有する。
【０００５】
前記少なくとも２つの無線通信機を用いて前記第１の無線チャネルで通信する段階は、移動局と通信する段階、を有してもよい。該数賃は、多入力多出力モードで実行されてもよい。方法は、ネットワーク・アクセス装置と通信セッションを確立する段階を更に有してもよい。ネットワーク・アクセス装置は、有線通信ネットワークへのアクセスを提供してよい。方法は、有線通信ネットワークから複数の無線チャネルを提供するための情報を受信する段階を更に有してもよい。
【０００６】
一実施形態によると、無線通信のシステムは、少なくとも２つの無線通信機を有する。システムは、少なくとも２つの無線通信機が、無線通信ネットワークの複数の無線チャネルのうちの第１の無線チャネルで通信するのを停止する。システムは更に、第１の無線通信機を用いて、複数の無線チャネルの第１の走査を実行する。更に、システムは、前記第１の走査に応答して、前記無線チャネルのうちの少なくとも１つに対してチャネル品質メトリックを決定する。システムは、プロセッサを更に有する。プロセッサは、前記少なくとも１つの無線チャネルに対してチャネル品質メトリックを決定するのに応答して、前記複数の無線チャネルのうちの第２の無線チャネルを選択する。プロセッサは更に、前記少なくとも２つの無線通信機に前記第２の無線チャネルで通信するよう指示する。
【０００７】
実装される特定の特徴に依存して、特定の実施形態は、以下の技術的利点のいくつか若しくは全てを示すか、又は１つも示さなくて良い。通信するためのチャネルを決定する段階は、事業者による少ない支援で実行されうる。また、通信するためのチャネルを決定するのに要する時間が短縮されうる。他の技術的利点は、本願明細書に含まれる図、説明、及び請求項から当業者に直ちに明らかであろう。
【図面の簡単な説明】
【０００８】
添付の図面とともに以下の説明を参照する。ここで同様の参照符号は同様の部分を表す。
【図１】種々の通信ネットワークを有する通信システムの一実施形態を示す。
【図２】エンドポイント、マクロ基地局及びフェムト基地局を有する無線ネットワーク一実施形態を示す。
【図３】フェムト基地局の動作の一実施形態を示すフローチャートである。
【発明を実施するための形態】
【０００９】
図１は、特定の実施例による、種々の通信ネットワークを有する通信システムを示す。通信システム１００は、複数のネットワーク１１０を有してよい。各ネットワーク１１０は、独立に又は他のネットワーク及び／又は通信プロトコルと連携して１又は複数の異なるサービスを支援するよう設計された種々の通信プロトコルの何れを有する種々の通信ネットワークの何れであってもよい。例えば、ネットワーク１１０は、有線又は無線接続（例えば、ＷｉＭＡＸサービス）を介したネットワーク及び／又はインターネット・アクセスを実現しうる。ネットワーク・アクセスは、オンライン・ゲーム、ファイル共有、ピア・ツー・ピア・ファイル共有（Ｐ２Ｐ）、ボイス・オーバ・インターネット・プロトコル（ＶｏＩＰ）の呼、ビデオ・オーバＩＰの呼又は標準的にネットワークにより提供される如何なる他の種類の機能を可能にする。特定の実施形態では、１又は複数のネットワーク１１０は、ＷｉＭＡＸとして一般的に知られている８０２．１６に基づく無線ネットワークを有し、１２０のようなマクロ基地局（ｍＢＳ）、ＲＳ１３０のような中継局（ＲＳ）及びｆＢＳ１９０のようなフェムト基地局（ｆＢＳ）を有してよい。
【００１０】
簡単のため及び議論の簡便性のため、本願明細書の残りの部分では、関連しうる種々のエントリに対して簡略化した用語を用いる。「オーナ」はｆＢＳを購入した又はｆＢＳが登録されたエンティティを表しうる。「ユーザ」は無線サービスが提供されているエンティティを表しうる。「インターネット・サービス」は、オーナがインターネットのような外部ネットワークにアクセスするために用いるサービスを表しうる。用語「インターネット」が用いられるが、簡単のためであり、インターネットのみに限定されるものではない。むしろ、如何なる種類のネットワークをも包含し、ｆＢＳがバックホール接続を確立するために用いうる公衆及び私設ネットワークも含む。「インターネット・サービス・プロバイダ（ＩＳＰ）」は、インターネット・サービスをオーナに提供するエンティティを表しうる。「無線サービス」又は「キャリア・サービス」は、ユーザがＷｉＭＡＸのような無線アクセスに用いるサービスを表しうる。「無線サービス・プロバイダ（ＷＳＰ）」は、無線サービスをユーザ又はオーナに提供するエンティティを表しうる。この用語は簡単のために用いられるが、全ての可能な実施形態の全範囲を表すものではない。例えば、オーナはユーザであってもよく、ＩＳＰはＷＳＰであってもよい。別の例として、ＩＳＰは、オーナにインターネット・アクセスを直接提供しなくてもよい（例えば、ＩＳＰはインターネット・アクセスを備えた建物を提供し、建物の所有者がｆＢＳオーナにインターネット・アクセスを提供してもよい）。
【００１１】
図１に示された実施形態では、ネットワーク１１０ａはｆＢＳ１９０を有する。ｆＢＳ１９０は、基本的に、オーナによりＷＳＰから購入された（又は貸し出された）小型の基地局であってよい。従って、オーナは例えば彼の施設にｆＢＳを設置する責任がある。一旦設置されると、ｆＢＳは、オーナの施設内の信号カバレッジを拡張するために用いられうる地理的に狭いカバレッジ・エリアを提供する。シナリオに依存して、オーナはこのカバレッジを他の未知のユーザと共有してもよく（例えば、ｆＢＳは公衆ｆＢＳ）、又は既知の／認可されたユーザに限定してもよい（例えば、ｆＢＳは私設ｆＢＳ）。
【００１２】
幾つかのシナリオでは、（ｆＢＳ１９０ａのような）あるｆＢＳ１９０からの通信は、（ｆＢＳ１９０ｂのような）別のｆＢＳ１９０による通信により生じる干渉の影響を受けやすい。以下に更に説明するように、ｆＢＳ１９０は、ネットワークを分析し、通信するために干渉の影響を受け難い１又は複数のチャネルを決定するように構成されてよい。
【００１３】
ｆＢＳは、オーナによりＷＳＰからの僅かな支援で又は支援を受けずにオーナの施設に設置されていると想定される。これは、一般的にＷＳＰにより設置され委託されている他の種類の小型基地局のエンティティとは異なる。ｆＢＳは家庭又は会社の環境で運用されるので、ｆＢＳ１９０はオーナのエンドポイント１４０によってのみアクセス可能な私用の機器であると考えるのが自然である。しかしながら、特定の状況では、ｆＢＳのオーナは無線サービスを非オーナのエンドポイント１４０に提供してもよい。このようなｆＢＳは、公衆アクセス可能なｆＢＳと称される。
【００１４】
オーナはｆＢＳをＷＳＰから購入し、ｆＢＳを彼らの家庭又は実質的に広帯域接続を有する場所に設置するので、ＷＳＰはｆＢＳ１９０の場所に関して殆ど又は如何なる制御も有さない。従って、ＷＳＰは、ｆＢＳの設置及び運用手順の一部としてｆＢＳ１９０の場所を決定しようとしうる。ｆＢＳの場所に関して、ＷＳＰは少なくとも２つの検討材料を有する。
（１）ｆＢＳは、ＷＳＰがＲＦ帯域を使用するライセンスを有する地理的領域内で動作することを許可されているだけである。従って、オペレータは、帯域ライセンスに関連する場所の要件を満たすように、１０キロメートルの精度でｆＢＳの場所を知る必要がある。
（２）ＷＳＰは、位置に基づくサービス（例えばＥ９１１）を提供するために、及び無線資源管理を通じて（例えば、同一の近辺にある他のｆＢＳから来る干渉に基づき、適正な搬送波／セグメント／サブチャネル及びｆＢＳ送信電力を割り当てる）自身の無線ネットワークの無線の運用を最適化するために、１００メートルの範囲内のｆＢＳの位置を知る必要がある。
【００１５】
固定網と移動網の融合（Fixed-mobile  convergence：FMC）は、ユーザが屋外環境と屋内環境との間を移動するときに、ユーザがサービスの連続性及びサービスの統合を享受できるシナリオである。ｆＢＳ１９０は、エンドポイント１４０に単一の無線インタフェースを使用させることによりＦＭＣを実現しうる。より詳細には、例えば一旦ｆＭＳ１９０ｂがオーナの家に設置されると、彼は同一の無線インタフェースを有する同一のモバイル装置を用いて屋外のｍＢＳ１２０又は屋内のｆＢＳ１９０ｂの何れかに接続できる。どちらの装置に接続するかの選択は、ユーザにより手動で行われるか、エンドポイント１４０、ＢＳ１２０又はＷＳＮネットワーク１１０ｅに接続される如何なる構成要素若しくはＷＳＮネットワーク１１０ｅにより制御されてもよい。
【００１６】
ｆＢＳの設置処理の一部は、ｆＢＳにｆＢＳのバックホール接続のためのインターネット・アクセスを提供する段階を有してもよい。図１に示されたシナリオでは、ｆＢＳ１９０はネットワーク・アクセス装置１８０に接続される。この接続は、ｆＢＳ１９０に、ＷＳＰのネットワークであるＷＳＮネットワーク１１０ｅへのｆＢＳ１９０のバックホール接続を提供してよい。ネットワーク・アクセス装置１８０は、オーナに一般的なインターネット・アクセスを提供してよい。ｆＢＳ１９０は、ＷＳＰに関連付けられた専用のバックホール通信回線を用いず、むしろオーナの既存のインターネット・アクセスを用いる。実施形態及びシナリオに依存して、ＩＳＰ及びＷＳＰは同一のエンティティであってもよい。
【００１７】
ｆＢＳ１９０は、従来の（例えばＷｉＦｉ）ローカル・エリア・ネットワークの無線アクセス・ポイントと同様のオーナの既存のインターネット・アクセスを用いてよいが、ユーザがｆＢＳのカバレッジ・エリアを離れるとき、ｆＢＳ１９０はＲＳ１３０又はｍＢＳ１２０へハンドオフされてもよい。ユーザのエンドポイントはｆＢＳ１９０について使用するのと同一の無線インタフェースをＲＳ１３０又はｍＢＳ１２０にも使用できるので、ハンドオフが可能であってよい。更に、免許不要の帯域内で動作する従来のＷｉＦｉ無線アクセス・ポイントと異なり、ｆＢＳは一般的に認可された帯域内で運用されうる。
【００１８】
ネットワーク１１０ａのような無線プロトコル（例えば８０２．１６ｊ又は８０２．１６ｍ）を用いるネットワーク内では、特定の実施形態は、ｆＢＳ１９０は公衆又は私設であってよい。公衆ｆＢＳは如何なるエンドポイント１４０からの接続も許可してよく、私設ｆＢＳは接続を許可されたエンドポイント１４０からの接続のみを許可してよい。例えば、ｆＢＳ１９０ａは、オーナが彼の家に設置した私設ｆＢＳであってもよい。ｆＢＳ１９０ａのオーナは、エンドポイント１４０ｈ及び１４０ｉ（例えば彼の電話機（例えば携帯電話機）であってよい）にｆＢＳ１９０ａに接続することを許可してもよい。従って、これら２つのエンドポイントのみがｆＢＳ１９０ａに接続してよい。他方、ｆＢＳ１９０ｂは商用に設置された公衆ｆＢＳであってもよい。従って、ｆＢＳ１９０ｂのカバレッジ・エリア内の如何なるエンドポイント１４０もｆＢＳ１９０ｂに接続しうる。
【００１９】
各エンドポイント１４０は、ｍＢＳ１２０、ＲＳ１３０又はｆＢＳ１９０のうちの１つに接続される。簡単のため、エンドポイントが接続される構成要素は、アクセス局として参照される。例えば、エンドポイント１４０ｅのアクセス局はフェムトｆＢＳ１９０ａである。各エンドポイント１４０と該エンドポイント１４０に対応するアクセス局との間には、屡々アクセス・リンクとして表される無線接続１５０があってよい。無線接続は、エンドポイントにネットワークへのアクセスを提供するので、アクセス・リンクとして参照されうる。同様に、各ＲＳとｍＢＳとの間（又は２つのＲＳの間）には、屡々中継リンクとして参照される無線接続１５０があってよい。この無線接続は、アクセス・リンクとｍＢＳとの間の通信を中継するので、中継リンクとして参照されうる。
【００２０】
無線接続は、例えば（例えば、ダウンリンク又はアップリンク・マップに記述されるような）特定の中心周波数、特定の帯域幅、特定のタイムスロット及び／又は特定のサブチャネル若しくは特定のサブチャネル若しくはサブチャネルのグループの組み合わせのような種々の無線資源を有してよい。特定の実施形態では、スロットの観点からリンクにより用いられる資源を議論するのが便利である。実施形態に依存して、スロットは、特定数のサブチャネル及びシンボル（タイムスロットとしても知られる）を有しうる。例えば、ＩＥＥＥ（電気電子技術者協会）８０２．１６ｅ−２００５規格は、単一のサブチャネル及び２つのシンボルを有するスロットを規定している。
【００２１】
所与のエリア内の無線接続１５０の数の増加は、無線接続１５０間の干渉の影響及び重大性を増大させうる。これは、サービス品質（ＱｏＳ）を低下させ、保守コストを増大させる。これは、ｆＢＳ１９０のロールアウト（ｒｏｌｌｏｕｔ）に関して特に懸念される。より詳細には、オーナがｆＢＳを設置するので、ＷＳＰは如何なる以前の周波数計画及び／又はサイト監督も行うことができない。従って、特定のｆＢＳが設定されている場所を知ることが望まれる。特定の実施形態では、アップリンクの調査は、ｍＢＳ１５０、複数のＲＳ及びｆＢＳ１９０の間のチャネル利得及び干渉強度を推定するために用いられる。従って、アップリンク調査は、種々の無線接続の品質及び／又は効率を決定するのに用いられる。この情報は、ｆＢＳが僅かな又は如何なるローカル調停も有さずに動作することを可能にすることを実現するために用いられてよい。
【００２２】
特定の実施形態では、エンドポイント１４０は、個々のアクセス局のアクセス・リンクのスペクトル効率に基づき又はそれを少なくとも部分的に向上するために、どのアクセス局（例えば、ｍＢＳ１２０、ＲＳ１３０又はｆＢＳ１９０のうちの１つ）にアクセスするかを選択してよい。スペクトル効率は、無線接続の搬送波対干渉及び雑音比（ＣＩＮＲ）により決定され及びｂｉｔｓ／Ｈｚ／ｓｅｃの単位で測定されうる変調及び符号化方式（ＭＣＳ）レベルを用いて決定されてよい。例えば、４相位相偏移変調（ＱＰＳＫ）でコード・レート１／２で変調された信号は、１ｂｉｔ／Ｈｚ／ｓｅｃのスペクトル効率を有する。
【００２３】
図１の例である通信システム１００は６個の異なるネットワーク、ネットワーク１１０ａ−１１０ｆを有するが、用語「ネットワーク」は概してウェブ・ページ、電子メール、テキスト・チャット、ボイス・オーバＩＰ（ＶｏＩＰ）及びインスタント・メッセージを通じて送信される信号、データ及び／又はメッセージを含む信号、データ及び／又はメッセージを送信可能な如何なるネットワーク又はネットワークの組み合わせを定めるとして解釈されるべきである。ネットワークの範囲、大きさ及び／又は構成に依存して、ネットワーク１１０ａ−１１０ｆの任意の１つは、ＬＡＮ、ＷＡＮ、ＭＡＮ、ＰＳＴＮ、ＷｉＭＡＸネットワーク、インターネットのような世界的な分散型ネットワーク、インターネット、エクストラネット又は他の形式の無線若しくは有線ネットワークであってよい。
【００２４】
ネットワーク１１０は、任意の数の有線リンク１６０、無線接続１５０、ノード１７０及び／又はエンドポイント１４０及びそれらの組み合わせを有してよい。説明を目的として且つ単なる例として、ネットワーク１１０ａは少なくとも部分的にＷｉＭＡＸを介して実施されうるＭＡＮであり、ネットワーク１１０ｂはＰＳＴＮ（例えば、音声に基づくネットワーク）であり、ネットワーク１１０ｃはＬＡＮであり、ネットワーク１１０ｄはＷＡＮ（例えば、長距離光ネットワーク又はインターネット）であり、ネットワーク１１０ｅはネットワーク１１０ａに無線サービス（例えば、ＷｉＭＡＸ）を提供する無ＷＳＰにより運営される無線サービス・ネットワーク（ＷＳＮ）であってよく、ネットワーク１１０ｆはユーザにインターネット・アクセスを提供するためにＩＳＰにより運営されるインターネット・サービス・ネットワーク（ＩＳＮ）であってよい。図１に示されないが、ＷＳＮネットワーク１１０ｅ及びＩＳＮネットワーク１１０ｆの両者は、サーバ、モデム、ゲートウェイ及び該ネットワークの個々のサービスを提供するために必要とされうる如何なる他の構成要素を有してよい。
【００２５】
ネットワーク１１０は、６個の別個のネットワークとして示されたが、シナリオに依存して如何なる２つ以上のネットワークも単一のネットワークであってよい。例えば、ＷＳＰ及びＩＳＰは、同一のネットワークで両サービスに必要な構成要素を保持する同一の企業体であってもよい。従ってＩＳＮネットワーク１１０ｆ及びＷＳＮネットワーク１１０ｅが単一のネットワークに統合されてよい。更に、ネットワーク１１０間の相互接続は、図１に示されたものと異なってもよい。例えば、オーナは彼のインターネット・アクセスのためにデジタル加入者線（ＤＳＬ）を用いる場合、彼のｆＢＳはＰＳＴＮ１１０ｂを通じて接続してもよい。
【００２６】
概して、ネットワーク１１０ａ及び１１０ｃ−１１０ｆは、エンドポイント１４０及び／又はノード１７０（以下に説明する）の間でパケット、セル、フレーム又は他の情報部分（一般的にパケットと称される）の通信を提供する。特定の実施例では、ネットワーク１１０ａ及び１１０ｃ−１１０ｆはＩＰネットワークであってよい。ＩＰネットワークは、パケット内にデータを配置し、１又は複数の通信経路に沿って各パケットを個別に選択された宛先へ送信することによりデータを送信する。ネットワーク１１０ｂは、例えば中継局、電話局、移動電話中継局、ページャ中継局、遠隔端末及び世界中に配置された他の関連する通信機器を有しうるＰＳＴＮであってよい。ネットワーク１１０ｄは、ネットワーク１１０ｂにゲートウェイを通じて結合されてよい。実施形態に依存して、ゲートウェイはネットワーク１１０ｂ及び／又は１１０ｄの一部であってよい（例えば、ノード１７０ｅ及び／又は１７０ｃがゲートウェイを有してよい）。ゲートウェイは、ＰＳＴＮ１１０ｂがネットワーク１１０ａ又は１１０ｃ−１１０ｆのうちの何れかのような非ＰＳＴＮネットワークと通信することを可能にする。
【００２７】
ネットワーク１１０ａ又は１１０ｃ−１１０ｆの何れも、限定でなくインターネットを含む他のＩＰネットワークに結合されてよい。ＩＰネットワークはデータを送信する共通の方法を共有するので、信号は異なる場所に配置されているが相互接続された装置とＩＰネットワークとの間で送信されうる。他のＩＰネットワークに結合されるのに加え、ネットワーク１１０ａ又は１１０ｃ−１１０ｆの何れも、インタフェース又はゲートウェイのような構成要素を用いて非ＩＰネットワークに結合されてもよい。
【００２８】
ネットワーク１１０は、複数の有線リンク１６０、無線接続１５０及びノード１７０を介して互いに及び他のネットワークに接続されてよい。有線リンク１６０、無線接続１５０及びノード１７０は種々のネットワークを接続するだけでなく、それらはエンドポイント１４０を互いに及び任意のネットワーク１１０の一部に接続された任意の他の構成要素に又は任意のネットワーク１１０の一部に相互接続する。ネットワーク１１０の相互接続は、エンドポイント１４０がデ―タを通信し、互いの間でシグナリングを制御することを可能にするとともに、任意の中間構成要素又は装置がデータを通信し信号を制御することを可能にする。従って、エンドポイント１４０のユーザは、データを送受信し、１又は複数のネットワーク１１０に結合された各ネットワーク構成要素の間で信号を制御することができる。
【００２９】
上述のように、無線接続１５０は、例えばＷｉＭＡＸを用いた２つの構成要素間の無線リンクを表しうる。ＷｉＭＡＸのｍＢＳの１又は複数のＲＳ及びｆＢＳに従って拡張された範囲は、特定の場合には、ネットワーク１１０ａが、比較的少数の有線リンクを用いながら、ＭＡＮに関連付けられたより広い地理的領域をカバーすることを可能にする。より詳細には、ｍＢＳ１２０、複数のＲＳ１３０及びｆＢＳ１９０を都市領域に適正に配置することにより、複数のアクセス局は、都市領域全域を通じて、無線接続１５０又は既存の有線リンクを用いてｍＢＳ１２０と通信し、無線接続１５０を用いて無線エンドポイント１４０と通信しうる。ｍＢＳ１２０は、有線接続１６０ａを通じて、他のｍＢＳ、ＷＳＮネットワーク１１０ｅの任意の構成要素、無線接続を確立できない任意のネットワーク構成要素及び／又はネットワーク１１０ｄのようなＭＡＮの外部の他のネットワーク又はインターネットと通信しうる。
【００３０】
上述のように、ネットワーク１１０ａのカバレッジ品質は、ｆＢＳ１９０の使用を通じて拡張されうる。より詳細には、ＷｉＭＡＸのｆＢＳの比較的狭い範囲は、ネットワーク１１０ａがより狭い領域内、例えば建物内のユーザに信号品質及び／又は容量の向上を提供することを可能にする。ｆＢＳ１９０は、既存のネットワーク・アクセスの使用を通じてｆＢＳ１９０のアクセス・リンクを提供できる。より詳細には、ｆＢＳ１９０は、オーナのネットワーク・アクセス装置１８０に接続してよい。一旦接続されると、ｆＢＳ１９０は、オーナのＩＳＰによりＩＳＰのネットワーク（例えば、ネットワーク１１０ｆ）を介して提供されるオーナのインターネット・アクセスを、ＷＳＰのネットワーク（例えばネットワーク１１０ｅ）へのｆＢＳ１９０のバックホール接続のために使用してよい。
【００３１】
ノード１７０は、ネットワーク構成要素、モデム、セッション境界制御部、ゲートキーパ、ＩＳＮゲートウェイ、ＷＳＮゲートウェイ、セキュリティ・ゲートウェイ、運用、管理、保守及びプロビジョニング（ＯＡＭ＆Ｐ）サーバ、ネットワーク・アクセス・プロバイダ（ＮＡＰ）サーバ、基地局、コンファレンス・ブリッジ、ルータ、ハブ、スイッチ、ゲートウェイ、エンドポイント又は通信システム１００内でパケットの交換を可能にする任意の数の通信プロトコルを実施する如何なる他のハードウェア、ソフトウェア若しくは組み込みロジックの任意の組み合わせを有してよい。例えば、ノード１７０ａは、リンク１６０ｊを介してｍＢＳ１２０に及びリンク１６０ａを介してネットワーク１１０ｄに有線接続された他のｍＢＳを有してもよい。ｍＢＳのように、ノード１７０は、自身の幾つかの無線接続を種々の他のｍＢＳ、ＲＳ及び／又はエンドポイントと確立できてよい。別の例として、ノード１７０ｅはゲートウェイを有してよい。ゲートウェイ・ノード１７０ｅは、ネットワーク１１０ｂ、ＰＳＴＮネットワークに、ネットワーク１１０ｄ、ＩＰネットワークのような他の非ＰＳＴＮネットワークからの通信を送信及び受信することを可能にする。より詳細には、ゲートウェイとして、ノード１７０ｅは、ネットワーク１１０ｂ及び１１０ｄにより用いられる種々のプロトコル間の通信を変換してもよい。
【００３２】
ネットワーク・アクセス装置１８０は、コンピュータ可読媒体内に組み込まれたハードウェア、ソフトウェア及び／又はハードウェア内に組み込まれた若しくは他の格納された符号化されたロジック（例えば、ファームウェア）の任意の組み合わせを通じたｆＢＳ１９０へのインターネット・アクセスを提供しうる。特定の実施例では、ネットワーク・アクセス装置１８０は、所有者のＩＳＰにより供給されてよい。例えば、所有者のＩＳＰがケーブル通信会社ならば、ＩＳＰはケーブル・モデムをネットワーク・アクセス装置１８０として供給してよい。別の例として、所有者のＩＳＰが電話会社ならば、ＩＳＰはｘＤＳＬモデムをネットワーク・アクセス装置１８０として供給してよい。明らかなように、ネットワーク・アクセス装置１８０は、ｆＢＳ１９０以外の構成要素へのインターネット・アクセスを提供しうる。例えば、所有者は自身のパーソナル・コンピュータをネットワーク・アクセス装置１８０に接続し、インターネットにアクセスしうる。
【００３３】
エンドポイント１４０及び／又はノード１７０は、ハードウェア、コンピュータ可読媒体内に組み込まれたソフトウェア及び／又はハードウェア内に組み込まれた若しくは他の格納された符号化されたロジックの任意の組み合わせを通じてユーザにデータ又はネットワーク・サービスを提供しうる。例えば、エンドポイント１４０ａ−１４０ｋは、携帯電話、ＩＰ電話、コンピュータ、ビデオ・モニタ、カメラ、パーソナル・データ・アシスタント又は１又は複数のネットワーク１１０を用いてパケット（又はフレーム）の通信を支援する如何なる他のハードウェア及び／又はソフトウェア若しくは符号化ロジックを有してよい。エンドポイント１４０は、無人又は自動システム、ゲートウェイ、他の中間構成要素若しくはデータ及び／又は信号を送信若しくは受信できる他の装置も有してよい。
【００３４】
図１は特定の数且つ特定の構成のエンドポイント、接続、リンク及びノードを図示するが、通信システム１００は、データを通信するために任意の数又は配置のこれらの構成要素を有してよい。更に、通信システム１００の要素は、互いに中央に配置された（ローカルの）又は通信システム１００の全域に分散された構成要素を有してよい。
【００３５】
図２は、特定の実施形態による、エンドポイント、ｍＢＳ及びｆＢＳの詳細図を有する無線ネットワークを示す。より詳細には、図示された実施形態は、ネットワーク２０５、ｍＢＳ２１０、ｆＢＳ２５０及びエンドポイント２７０を有する簡略化されたシナリオである。別の実施形態では、ネットワーク２００は、任意の数の有線又は無線ネットワーク、ｍＢＳ、エンドポイント、ＲＳ、ｆＢＳ及び／又は有線若しくは無線接続を介してデータ及び／又は信号の通信を実現し若しくは関与する如何なる他の構成要素を有してよい。ｍＢＳ２１０及びｆＢＳ２５６は、プロセッサ２１２及び２５２、メモリ２１４及び２５４、通信インタフェース２１６及び２５６、無線通信機２１７及び２５７、並びにアンテナ２１８及び２５８を有する。同様に、エンドポイント２７０は、プロセッサ２７２、メモリ２７４、無線通信機２７７及びアンテナ２７８を有する。これらの構成要素は、無線ネットワーク（例えばＷｉＭＡＸ無線ネットワーク）内でエンドポイントに無線接続を提供するような無線ネットワーク機能を提供するために共に動作してよい。
【００３６】
ネットワーク２０５は、１又は複数の異なる事業者により運営される別個であるが相互接続されたネットワークを有してよい。より詳細には、ネットワーク２０５はＩＳＰのネットワークであってよく、ネットワーク２０５ｂは公衆ネットワーク（例えばインターネット）であってよく、ネットワーク２０５ｃはＷＳＰのネットワークであってもよい。ｆＢＳ２５０のオーナは、インターネット・アクセスのためにネットワーク２０５ａを使用してもよい。オーナにネットワーク・アクセスを提供するために、ＩＳＰのネットワーク２０５ａはモデム２２２、サーバ２２４及びＩＳＰゲートウェイ２２６を有してもよい。モデム２２２は、オーナのネットワーク・アクセス装置２５１と通信するためにＩＳＰにより用いられてもよい。従って、ネットワーク・アクセス装置２５１及びモデム２２は、相互間でデータを通信可能にする相補的なハードウェア及び／又はソフトウェアを有してもよい。ネットワーク・アクセス装置２５１は、図１に関連して上述したネットワーク・アクセス装置１８０と同様に、オーナのアクセス・ポイントとして動作してよい。モデム２２２は、ＩＳＰのネットワーク２０５ａとオーナのネットワーク・アクセス装置２５１との間のゲートウェイとして動作してよい。特定の実施形態では、モデム２２２はセキュリティ・ゲートウェイ機能を有してもよい。サーバ２２４は、ＯＡＭ＆Ｐサーバ、認証、認可及び課金（ＡＡＡ）サーバ、動的ホスト構成プロトコル（ＤＨＣＰ）サーバ、又はＩＳＰがオーナにネットワーク・アクセス（又はＩＳＰにより提供される如何なる他の機能）を提供するために必要としうる如何なる他のサーバのような１又は複数のサーバを有してもよい。ＩＳＰゲートウェイ２２６は、ネットワーク２０５をネットワーク２０５ｂに結合するために必要な如何なるハードウェア及び／又はソフトウェアを有してもよい。例えば、ＩＳＰゲートウェイ２２６は、スイッチ、ルータ、ファイアウォール、プロキシ・サーバ及び他の適切な機器又はソフトウェアを有してよい。
【００３７】
ネットワーク２０５ｃは、ＷｉＭＡＸサービス・プロバイダのネットワークであってもよい。シナリオに依存して、ネットワーク２０５ｃは、ユーザの又はオーナのＷｉＭＡＸサービス・プロバイダのネットワークであってもよい。ＷｉＭＡＸサービスを提供するときに、ネットワーク２０５ｃはサーバ２３２及びゲートウェイ２３４を利用してもよい。サーバ２３２は、ＯＡＭ＆Ｐサーバ、ネットワーク・アクセス・プロバイダ（ＮＡＰ）サーバ、ＡＡＡサーバ、自己組織ネットワーク（ＳＯＮ）サーバ、又はＷｉＭＡＸプロバイダがｆＢＳ２５０を設定／認証しユーザにＷｉＭＡＸサービスを提供するのに必要としうる如何なる他のサーバを有してもよい。ゲートウェイ２３４は、ネットワーク２０５ｃをネットワーク２０５ｂに結合するために必要な如何なるハードウェア及び／又はソフトウェアを有してもよい。
【００３８】
ネットワーク２０５ａ及び２０５ｃは、ネットワーク２０５ｂを介して結合されてもよい。ある実施形態では、ネットワーク２０５ｂはインターネットであってもてよい。従って、このような実施形態では、ｆＢＳ２５０はＷＳＰのネットワーク、ネットワーク２０５ｃをインターネットを介して接続してよい。ネットワーク２０５ｂは単一のネットワークとして示されたが、図１に関連して上述した如何なる数のネットワークを有してよい。例えば、ネットワーク２０５ｂは、インターネット、ＬＡＮ，ＷＡＮ、ＭＡＮ、ＰＳＴＮ又はこれらの幾つかの組み合わせを有してよい。
【００３９】
プロセッサ２１２、２５２及び２７２は、マイクロプロセッサ、制御部又は如何なる他の適切なコンピュータ素子、資源又は単独若しくは他の構成要素（例えば、メモリ２１４、２５４及び／又は２７４）と連携して無線ネットワーク機能を提供するハードウェア、ソフトウェア及び／又は符号化ロジックの組み合わせであってもよい。このような機能は、本願明細書に記載される種々の無線機能を有してよい。例えば、プロセッサ２１２、２５２及び２７２は、１又は複数の無線接続２９０のスペクトル効率を決定可能であってよい。更なる例及び少なくとも部分的にプロセッサ２１２、２５２及び２７２により提供される機能は、以下に記載される。
【００４０】
メモリ・モジュール２１４、２５４及び２７４は、如何なる形態の揮発性又は不揮発性メモリであってよく、磁気媒体、光学媒体、ランダム・アクセス・メモリー（ＲＡＭ）、読み出し専用メモリ（ＲＯＭ）、フラッシュ・メモリ、取り外し可能媒体又は如何なる他の適切なローカル若しくはリモートの１又は複数のメモリ構成要素を有するがこれらに限定されない。メモリ・モジュール２１４、２５４及び２７４は、コンピュータ可読媒体内に組み込まれたソフトウェア及び／又はハードウェア内に組み込まれた若しくは他の格納された符号化ロジック（例えば、ファームウェア）を有する、ｍＢＳ２１０、ｆＢＳ２５０及びエンドポイント２７０によりそれぞれ利用される如何なる適切なデータ又は情報を格納してよい。例えば、特定の実施形態では、メモリ・モジュール２１４、２５４及び２７４は、１又は複数の特定のリンクのスペクトル効率に関する情報を格納してもよい。別の例では、図示された実施形態で、メモリ２５４は、初期化モジュール２５３及び保守モジュール２５５を有する。これらのモジュールは、以下に詳細に説明されるように、ｆＢＳ２５０が通信のためにどのチャネルを使用するかを決定するために用いられてもよい。モジュール２５３及び２５５は、幾つかの実施形態では、プロセッサ２５２のようなプロセッサにより実行されうる命令を有してもよい。メモリ・モジュール２１４、２５４及び２７４は、リスト、データベース又はデータを適正な構成要素へどのように転送するかを決定するのに有用なデータの他の機構を保持してもよい。例えば、幾つかの実施形態では、（メッシュ構造とは対照的な）ツリー構造がエンドポイントからｍＢＳへデータを転送するのに用いられてもよい。より詳細には、ｍＢＳ２１０からエンドポイント２７０ｂへの既知の経路が存在してもよい。この経路又はその一部は、１又は複数のメモリ・モジュール２１４、２５４及び２７４に格納されてもよい。メモリ・モジュール２１４、２５４及び２７４により格納される情報の別の例は、以下に記載される。
【００４１】
無線通信機２１７、２５７及び２７７は、それぞれ、アンテナ２１８、２５８及び２７８に又はそれらの一部に結合されてよい。無線通信機２１７、２５７及び２７７は、他のｍＢＳ、ｆＢＳ、ＲＳ及び／又はエンドポイントへ無線接続を介して送信されるべきデジタル・データを受信してよい。無線通信機２１７、２５７及び２７７は、デジタル・データを適切な中心周波数及び帯域幅パラメータを有する無線信号に変換してよい。これらのパラメータは、例えばｍＢＳ２１０のプロセッサ２１２及びメモリ２１４の組により予め定められてよい。無線信号は、次にアンテナ２１８、２５８又は２７８を介して適切な受け手へ送信されてよい。同様に、無線通信機２１７、２５７及び２７７は、それぞれアンテナ２１８、２５８及び２７８を介して受信された無線信号を、必要に応じてプロセッサ２１２、２５２又は２７２により処理されるべきデジタル・データに変換してよい。特定数の無線通信機が示されたが、如何なる適切な数の無線通信機が装置毎に実施されてもよい。
【００４２】
アンテナ２１８、２５８又は２７８は、データ及び／又は信号を無線で送信及び受信可能な如何なる種類のアンテナであってもよい。幾つかの実施例では、アンテナ２１８、２５８又は２７８は、２ＧＨｚから６６ＧＨｚの間で無線信号を送信／受信するよう動作する１又は複数の全方向性アンテナ、セクタ・アンテナ又はパネル・アンテナを有してよい。全方向性アンテナは無線信号を如何なる方向に送信／受信するために用いられてよく、セクタ・アンテナは特定の領域内の装置からの無線信号を送信／受信するために用いられてよく、パネル・アンテナは比較的直線的に無線信号を送信／受信するために用いられるサイト・アンテナであってよい。無線通信機２１７とアンテナ２１８、無線通信機２５７とアンテナ２５８及び無線通信機２７７とアンテナ２７８はそれぞれ共に無線インタフェースを形成しうる。
【００４３】
通信インタフェース２１６及び２５６は、ｍＢＳ２１０とネットワーク２０５との間の及びｆＢＳ２５０とネットワーク２０５との間のシグナリング及び／又はデータの有線通信のために用いられうる。例えば、通信インタフェース２１６は、ｍＢＳ２１０が有線接続を介してネットワーク２０５ｃとデータを送受信することを可能にするために必要とされうる如何なるフォーマット又は変換を実行してもよい。別の例として、通信インタフェース２５６は、イーサネット(登録商標)・インタフェースのようなネットワーク・アクセス装置２５１の対応するインタフェースと互換性のあるインタフェース（例えばＲＪ−４５）を有してよい。図示されないが、エンドポイント２７０は有線インタフェースを有してもよい。
【００４４】
ｆＢＳ１９０に関して上述したように、ｆＢＳ２５０は、家庭又は会社に限られたカバレッジ・エリアを提供する基本的に小型基地局であってもよい。実施形態及びｆＢＳ２５０の構成に依存して、ｆＢＳ２５０は公衆又は私設のものであってもよい。ｆＢＳ２５０は、ｍＢＳ２１０の場合のようにバックホール接続を供給するＷｉＭＡＸサービス・プロバイダとは対照的に、ネットワーク・アクセス装置２５１を介したユーザのネットワーク・アクセスを信頼し、ネットワーク２０５ｃへのバックホール接続を提供してもよい。
【００４５】
ネットワーク・アクセス装置２５１は、オーナにインターネット・アクセスを提供するために用いられてもよい。ｆＢＳ２５０は、ＷｉＭＡＸネットワーク２０５ｃへのｆＢＳ２５０のバックホール接続のためにインターネット・アクセスを利用してもよい。ネットワーク・サービス及び／又はユーザのサービス・プロバイダの種類に依存して、ネットワーク・アクセス装置２５１は、ケーブル・モデム、デジタル加入者線（ＤＳＬ）モデム、光ファイバ・モデム若しくは如何なる他のモデム、ゲートウェイ又はオーナのネットワーク・サービス・プロバイダにより提供されるネットワーク・アクセス装置であってもよい。オーナは、ｆＢＳ２５０とネットワーク・アクセス装置２５１との間の如何なる数のルータ、スイッチ及び／又はハブを有してもよい。
【００４６】
バックホール接続を確立する段階の一部として、ｆＢＳ２５０はネットワーク・アクセス装置２５１と通信してもよい。ネットワーク・アクセス装置２５１は、ユ―ザのＩＳＰにより提供又は認可されてよく、ｆＢＳ２５０にＩＳＰのネットワーク２０５ａへのアクセスを提供してもよく、従ってネットワーク２０５を介してネットワーク２０５ｃへのアクセスを許可してよい。ネットワーク２０５ａへアクセスする段階は、モデム２４１がＩＳＰのモデム２２２と通信する段階を有してもよい。
【００４７】
ＩＳＰは、ユーザにインターネット・アクセスを提供するために、１又は複数のサーバ２２４（例えば、ＯＡＭ＆Ｐ、ＡＡＡ、ＤＨＣＰサーバ）を運用してもよい。例えば、ユーザは、ＤＳＬプロバイダのネットワーク・アクセスのためにデジタル加入者線（ＤＳＬ）アカウントを有してもよい。サーバ２２４は、ユーザが彼の支払いをすることを保証し、その他の場合にはＤＳＬプロバイダを良好に支持する。
【００４８】
ＩＳＰゲートウェイ２２６は、ＩＳＰネットワーク２０５ａをインターネット（例えばネットワーク２０５ｂ）に接続してよい。これは、ｆＢＳ２５０にインターネットを介したＷｉＭＡＸネットワーク２０５ｃへのアクセスを許可する。ネットワーク２０５ａをインターネットに接続するとき、ゲートウェイ２２６は、如何なる必要なフォーマット化及び／又はセキュリティ機能を実行してもよい。
【００４９】
ＷｉＭＡＸネットワーク２０５ｃは、自身のゲートウェイ２３４及びサーバ２３２を有してもよい。ＩＳＰネットワーク２０５ａのサーバ及びゲートウェイと同様に、ゲートウェイ２３４及びサーバ２３２は、ユーザが有効なＷｉＭＡＸアカウントを有すること及びネットワーク２０５ｃがネットワーク２０５ｂのような他のネットワークと通信できることを保証する。サーバ２３２は、ｆＢＳ２５０の種々の特徴及び機能を提供するために用いられ得る情報、データ、命令及び／又はロジックを有してもよい。例えば、それらは、ｆＢＳ２５０のエンドポイント２７０との無線接続２９０ｂのために、ｆＢＳ２５０にチャネル情報を提供してもよい。
【００５０】
エンドポイント２７０は、データ及び／又は信号をｍＢＳ２１０及び／又はｆＢＳ２５０に送信及びそれらから受信可能な任意の種類の無線エンドポイントであってよい。幾つかの可能な種類のエンドポイント２７０は、デスクトップ・コンピュータ、ＰＤＡ、携帯電話、スマートフォン、ラップトップ及び／又はＶｏＩＰ電話機を有してよい。
【００５１】
以下の例は、特定の実施形態の機能を提供するためにこれらの構成要素がどのように相互作用するかを説明するのに役立つだろう。ｆＢＳ２５０を用いて無線通信を開始するために、ｆＢＳ２５０は、ｆＢＳ２５０がＷｉＭＡＸネットワーク２０５ｃと通信するために使用するであろうチャネル（又は複数のチャネル）を決定することを目的として、プロセッサ２５２を用いて初期化モジュール２５３を実行してもよい。幾つかの実施形態では、利用可能なチャネルは、３４９６乃至２６７０ＭＨｚの範囲内にあり、５０ＭＨｚの幅であってよい。初期化モジュール２５３は、無線通信機２５７ａ及び２５７ｂに通信のために利用可能なチャネルを走査させてよい。幾つかの実施形態では、図３に関して更に詳細に記載されるように、無線通信機２５７ａ及び２５７ｂは、利用可能なチャネルをより速く走査する能力を提供する異なるチャネルの同時走査を行うように指示されてもよい。無線通信機２５７は、信号強度、雑音強度、リンク品質及び情報を通信するチャネルの能力の如何なる他の適切な指標のような走査されたチャネルのチャネル品質メトリックを提供してもよい。走査の結果は、メモリ２５４に格納されてよい。
【００５２】
図３と関連して更に詳細に議論されるように、プロセッサ２５２は、走査したチャネルのチャネル品質メトリックに基づき、通信を行う１又は複数のチャネルを選択してもよい。例えば、プロセッサ２５２は、最も高い信号対雑音比を有する１又は複数のチャネルを選択してもよい。プロセッサ２５２は、信号対雑音比の閾のような少なくとも１つの閾を満たす１又は複数のチャネルを選択してもよい。無線通信機２５７は、多入力多出力（ＭＩＭＯ）モードで、選択されたチャネルで通信してもよい。
【００５３】
ＷｉＭＡＸネットワーク２０５ｃとの通信中、ｆＢＳ２５０は、選択された１又は複数のチャネルが良好に動作していないと決定してもよい。次に、ｆＢＳ２５０は、プロセッサ２５２を用いて保守モジュール２５５を実行してもよい。その結果、ｆＢＳ２５０がＷｉＭＡＸネットワーク２０５ｃと通信する少なくとも１つの異なるチャネルを選択してもよい。幾つかの実施形態では、ｆＢＳ２５０が以前に選択したチャネルで通信している間、保守モジュール２５５が実行される。保守モジュール２５５の実行は、プロセッサ２５２に、無線通信機２５７ａに利用可能な通信チャネルを走査するように指示させ、一方で無線通信機２５７ｂに以前に選択されたチャネルで通信を続けさせる。これを達成するために、プロセッサ２５２は、無線通信機２５７に多入力多出力（ＭＩＭＯ）モードでの通信から単入力単出力（ＳＩＳＯ）モードへと切り替えさせてよい。
【００５４】
利用可能なチャネルを走査している間、無線通信機２５７ａは、信号及び雑音レベルのようなチャネル特性を提供してもよい。上述のように、プロセッサ２５２は、これらの特性を利用して、ｆＢＳ２５０が通信しうる少なくとも１つのチャネルを決定してよい。これは、最も高い信号対雑音比を有する少なくとも１つのチャネルを見付ける段階、又は（信号対雑音比の閾のような）少なくとも１つの閾を利用してｆＢＳ２５０により通信のために用いられる少なくとも１つのチャネルを決定する段階、を有してもよい。少なくとも１つのチャネルを選択する段階の後に、プロセッサ２５２は、無線通信機２５７ｂに以前に選択されたチャネルでの通信を停止し、無線通信機２５７ａ及び２５７ｂに対し新たに選択されたチャネルで通信するように指示してよい。これは、無線通信機２５７にＭＩＭＯモードでの通信に切り替えるよう指示する段階を有する。
【００５５】
以上のように、更に幾つかの異なる実施例及び特徴が提示された。特定の実施形態は、運用ニーズ及び／又は構成要素の制限に依存して、１又は複数の上述の特徴を結合してよい。これは、種々の組織及びユーザのニーズに多大なネットワーク２００の順応性をもたらす。
【００５６】
図３は、ｆＢＳ２５０のようなフェムト基地局（ｆＢＳ）の動作の一実施形態を示すフローチャートである。一般的に、図３に示された段階の幾つかは、必要に応じて結合され、変更され又は削除されてもよい。また、更なる段階が例である動作に追加されてもよい。更に、記載された段階は如何なる適切な方法で実行されてもよい。
【００５７】
段階３１０は、ｆＢＳが電力を受信すると及び／又はその他の場合には電源を入れられると開始してよい。起動する間に、ｆＢＳは、動作のために望ましい如何なるソフトウェア・アプリケーションを読み込みうる所定の手順のセットを実行してもよい。読み込まれたアプリケーション及びアプリケーションが読み込まれる順序は、特定の実施に依存して変化してよい。アプリケーションは、メモリ２５４のようなメモリ・モジュールに格納されてよい。アプリケーションの読み込みは、プロセッサ２５２のようなプロセッサを利用することにより達成されてよい。段階３１０で起動中にｆＢＳにより実施される手順の順序又は詳細に関しては、段階３１０が完了すると、必要とされうる如何なるソフトウェア・アプリケーションも実行されるように、ｆＢＳは作動されてよい。
【００５８】
段階３１２で、ｆＢＳは、図１に関連して上述されたようＩＳＮネットワーク１１０ｆのような公衆アクセス・ネットワークに接続しようとする。この接続は、ｆＢＳに、適切なＷＳＰのネットワークへのｆＢＳのバックホール接続を提供する。上述のように、バックホール接続は、ＩＳＰにより提供されるオーナ自身の通常の使用のためのインターネット・アクセス（例えば、インターネットにアクセスするためにオーナが彼のラップトップで使用するインターネット・アクセス）を使用してよい。実施形態に依存して、公衆アクセス・ネットワーク接続は、ｘＤＳＬ、ケーブル又は如何なる他の適せつん及び／又は利用可能なネットワーク・アクセス手段を通じて提供されてもよい。幾つかの実施形態では、ｆＢＳは貸し出された又は私設のアクセス通信ネットワークに接続される。
【００５９】
使用されるネットワーク・アクセスの種類に拘わらず、ｆＢＳ又はｆＢＳが接続されるネットワーク・アクセス装置は、通常、先へ進むためにＩＳＰのネットワークと接続（例えばＩＰアドレスの受信を含む）を確立する必要がある。接続に失敗した場合、ｆＢＳ装置は重大な警告をあげてよい。特定の実施形態では、ｆＢＳは、重大な警告を発する前に及び／又はネットワーク・エントリ手順を終了する前に、所定数の試みを行ってよい。接続は種々の理由により失敗しうる。例えば、ｆＢＳがネットワーク・アクセス装置に物理的に接続されていないかもしれない。ネットワーク・アクセス装置がＩＳＰのネットワークに物理的に接続されていないかもしれない。ｆＢＳがネットワーク・アクセス装置で許可されないかもしれない。オーナのＩＳＰのアカウントが有効でないかもしれない。その他如何なる数の理由があってもよい。
【００６０】
段階３１３で、ｆＢＳは、ＷＳＰのネットワークに接続を試みてもよい。特定の実施形態では、ｆＢＳは、ｆＢＳに種々の情報を予め提供しうる特定のＷＳＰにより販売されてもよい。例えば、ＷＳＰは、ｆＢＳに、ＷＳＰに関連するＲＦ帯域チャネル、ＷＳＰのセキュリティ・ゲートウェイのＩＰアドレス、ＷＳＰの関連するＡＡＡサーバのＩＰアドレス、及びＷＳＰのネットワークにアクセスするために必要な如何なる必要なセキュリティ・パラメータを予め提供してもよい。ｆＢＳは、ＷＳＰのネットワークに接続を試みるときにこれらの情報の全て、一部を用いてもよく又は何れも用いなくてもよい。上述のように、ＷＳＰはＩＳＰと同一の又は異なるプロバイダであってもよい。例えば、ユーザは第１のプロバイダからＷｉＭＡＸサービスを有し、第２のプロバイダからインターネット・アクセスを有してもよい。別の例として、ユーザは同一のプロバイダからＷｉＭＡＸサービス及びインターネット・アクセスを有してもよい。
【００６１】
何等かの理由で（例えばＩＳＰのネットワークに関して上述した理由の何れかにより）、ｆＢＳがＷＳＰのネットワークに接続するために使用できない場合、重大な警告が上げられうる。上述したように、ｆＢＳは、重大な警告を発する前に及び／又はネットワーク・エントリ手順を終了する前に、ＷＳＰのネットワークに接続する所定数の試みを行ってよい。
【００６２】
段階３１２で、ｆＢＳのオーナとｆＢＳ自体の両者は、認証されてもよい。認証は、例えばオーナのアカウントが優良であること及びｆＢＳが認可されたｆＢＳであることを検証するために行われてもよい。ｆＢＳが外部のＷＳＰのネットワークとの認証を試みている場合、外部のＷＳＰも、オーナのＷＳＰのＳＬＡ証明書依然として優良であることを検証してもよい。オーナ又はｆＢＳが認証されない場合、ｆＢＳは重大な警告を上げ、ネットワーク・エントリ手順を終了してよい。特定の実施形態では、ｆＢＳは、重大な警告を発する前に及び／又はネットワーク・エントリ手順を終了する前に、所定数の試みを行ってよい。
【００６３】
特定の実施形態では、認証中に、オーナのＷＳＰ又は外部のＷＳＰは、場合によっては、ｆＢＳに特定のＲＦ及びＰＨＹパラメータを送信してもよい。これらのパラメータは、ｆＢＳの初期動作を開始するためにｆＢＳにより用いられてよい。ＲＦチャネル・パラメータは、ｆＢＳがＲＦ走査の範囲を、周波数帯域全体（例えば２００ＭＨｚ）ではなく割り当てられたＲＦ帯域（例えば３０ＭＨｚ）まで狭めるのに役立つ。走査すべきＲＦ帯域の削減は、ＲＦ走査処理を高速化しうる。特定の実施形態では、ｆＢＳは初期ＲＦ電力パラメータを受信してもよい。これは、ｆＢＳの範囲に影響を与え、その影響は近隣のアクセス局にも影響を与える。実施形態に依存して、ＰＨＹパラメータは、１又は複数の高速フーリエ変換（ＦＦＴ）の大きさ、ダウンリンク／アップリンクのサブフレーム比、セグメント化、又は疑似雑音（ＰＮ）系列を有してもよい。
【００６４】
段階３１４で、ｆＢＳは、ＷＳＰの（オーナのＷＳＰ又は外部ＷＳＰの何れかの）無線ネットワークとのネットワーク同期を開始する。これは、ｆＢＳがＷＳＰのマスタＷｉＭＡＸネットワークと適時に同期化される段階を有する。ネットワーク同期化は、如何なる種類の技術を用いて達成されてもよい。例えば、ｆＢＳがＧＰＳ装置を備えており、ＧＰＳ装置が衛星信号を受信可能な場合には、ＧＰＳ信号内のタイミング信号が同期化のために用いられてもよい。別の例として、ｆＢＳは、例えばＩＥＥＥ１５８８を用いてｆＢＳのバックホール接続の使用している公衆アクセス・ネットワークを介して同期化してもよい。
【００６５】
ｆＢＳが同期化できない又は如何なるネットワーク同期も検出されない場合、ｆＢＳは重大な警告を上げ、ネットワーク・エントリ手順を終了してよい。特定の実施形態では、ｆＢＳは、重大な警告を発する前に及び／又はネットワーク・エントリ手順を終了する前に、所定数の試みを行ってよい。
【００６６】
段階３１６で、初期ＲＦ及びＰＨＹ準備が実行される。準備は、ｆＢＳが以前に認証中に受信したＲＦ及びＰＨＹパラメータに基づいてよい。準備は、個々の場所で提供される周波数カバレッジを考慮して行われてよい。例えば、ｆＢＳが外部の場所（例えば、外部のＷＳＰによりサービスを提供される場所）にある場合、基本的なＲＦ及びＰＨＹパラメータは外部のＷＳＰにより提供されてもよい。
【００６７】
段階３１８で、ｆＢＳは利用可能なＲＦチャネルを走査してもよい。幾つかの実施形態では、利用可能なチャネルは、３４９６乃至２６７０ＭＨｚの範囲内にあり、５０ＭＨｚの幅であってよい。利用可能なＲＦチャネルは、ｆＢＳにより（段階３１４で）ネットワーク同期中に又は（段階３１６のような）準備段階中に受信されてもよい。特定の実施形態では、無線通信機２５７ａ及び２５７ｂのような複数の無線通信機が、利用可能なチャネルを走査するために用いられてもよい。ｆＢＳは、各無線通信機に異なるチャネルのセットを走査するように指示するように構成されてもよい。これは結果としてより速い走査処理をもたらす。チャネル品質メトリックは、走査中に無線通信機により導出される。走査されたチャネルのチャネル品質メトリックは、信号強度、雑音強度、リンク品質及び情報を通信するチャネルの能力の如何なる他の適切な指標を有してもよい。
【００６８】
段階３２０で、ｆＢＳは通信するために利用可能なＲＦチャネルから１つのチャネルを決定してもよい。これは、ｆＢＳに格納されたプログラムを利用することにより行われてよい。例えば、ｆＢＳは、（プロセッサ２５２のような）プロセッサを用いて（初期化モジュール２５３のような）ソフトウェア・モジュールを実行してもよい。幾つかの実施形態では、ｆＢＳは、通信するための１より多いチャネルを選択してもよい。ｆＢＳは、段階３１８で決定されたチャネルに関する情報を利用して、ｆＢＳが通信を行う１又は複数のチャネルを選択してもよい。例えば、ｆＢＳは、走査したチャネル毎に信号対雑音比のようなメトリックを決定してもよい。ｆＢＳは、決定されたメトリックに基づき通信するチャネルを決定してもよい。例えば、ｆＢＳは、最も高い信号対雑音比を有する１又は複数のチャネルを選択してもよい。幾つかの実施形態では、ｆＢＳは、閾を用いて通信を行う１又は複数のチャネルを決定してもよい。例えば、ｆＢＳは、１又は複数のチャネルが特定の信号対雑音比を満たす場合、該１又は複数のチャネルを通信を行うために選択してもよい。
【００６９】
幾つかの実施形態では、段階３２０は、段階３１８が完了する前に実行されてよい。ｆＢＳは、分析を実行する前に全てのチャネルが走査されるのを待つのではなく、各チャネルが走査される前に各チャネルを分析するように構成されてもよい。これにより、どの１又は複数のチャネルが通信のために用いられるべきかをより速く決定しうる。例えば、走査処理は、段階３１８で説明したように開始してもよい。無線通信機が各チャネルに関する情報を決定するとき、ｆＢＳは、信号対雑音比（ＳＮＲ）をチャネル毎に計算し、１又は複数のチャネルの信号対雑音比を追跡する。従って、走査が完了した後に、ｆＢＳは、追跡した信号対雑音比を最近に走査された１又は複数のチャネルのＳＮＲと比較してよい。
【００７０】
別の例では、ｆＢＳは、全てのチャネルの走査が完了する前に、通信するための１又は複数のチャネルを決定してもよい。ｆＢＳは、閾を用いて通信を行うために用いる１又は複数のチャネルを決定してもよい。上述のように、ｆＢＳは、チャネルが走査され始めるとき、走査されたチャネルの信号対雑音比を決定してもよい。特定の１又は複数のチャネルが閾を満たす場合、特定の実施形態では、ｆＢＳは、該１又は複数のチャネルで通信することを選択し、走査処理を先に完了させる。
【００７１】
段階３２２で、ｆＢＳは段階３２０で通信するために利用可能なＲＦチャネルから１つのチャネルを決定してもよい。幾つかの実施形態では、ｆＢＳは、（無線通信機２５７のような）複数の無線通信機を用いてエンドポイントと通信してもよい。ｆＢＳは、ＭＩＭＯ通信モードで複数の無線通信機を用いる。或いは、各無線通信機は、ＳＩＳＯモードで用いられ、エンドポイントと通信してもよい。
【００７２】
エンドポイントと通信する間、ｆＢＳは、決定された１又は複数のチャネルの性能が低下していると決定してもよい。結果として、ｆＢＳは、保守モジュール２５５のような保守モジュールを実行してもよい。段階３２４で、ｆＢＳは、複数の無線通信機のうちの１つにエンドポイントとの通信を停止するよう指示してもよい。幾つかの実施形態では、これは、ｆＢＳが他の無線通信機を利用した通信のＭＩＭＯモードからＳＩＳＯモードへ切り替えることを要求してもよい。段階３２６で、ｆＢＳは、無線通信機にエンドポイントと通信しないよう指示して、利用可能なチャネルを走査してもよい。次に、無線通信機は、利用可能なチャネルを走査し、信号及び雑音レベルのようなチャネル品質メトリックを決定してもよい。
【００７３】
段階３２８で、ｆＢＳは通信するためのチャネルを決定してもよい。これは、段階３２０と同様に行われてよい。例えば、ｆＢＳは、どの１又は複数のチャネルが最も高い信号対雑音比を有するかを決定し、該１又は複数のチャネルを選択してもよい。或いは、ｆＢＳは、信号対雑音比の閾に従って１又は複数のチャネルを選択してもよい。
【００７４】
段階３１８及び３２０に関して上述したように、段階３２８は、段階３２６が完了する前に実行されてもよい。更に、上述のように、ｆＢＳは、走査処理が完了する前に、ｆＢＳが通信を行うために用いる１又は複数のチャネルを決定してもよい。例えば、ｆＢＳは、１又は複数のチャネルが信号対雑音比の閾を満たすことを決定し、他のチャネルが走査されていなくても該チャネルを利用してもよい。結果として、ｆＢＳは、走査処理を終了し、選択された１又は複数のチャネルを利用することにより先に進む。
【００７５】
段階３３０で、ｆＢＳは段階３２８で決定された１又は複数のチャネルを利用して、ＷＳＰと通信してもよい。幾つかの実施形態では、これは、ＷＳＰと通信していた無線通信機に、段階３２８で決定された１又は複数のチャネルに切り替えることを指示する段階を有してもよい。ｆＢＳは、１より多い無線通信機を利用して、決定された１又は複数のチャネルで通信してもよい。例えば、ｆＢＳは、無線通信機にＭＩＭＯモードで動作するよう指示してもよい。幾つかの実施形態では、これは、ｆＢＳが動的に通信チャネルを切り替え、ＷＳＰとの通信セッションの性能を向上することができるという利点を提供する。
【００７６】
幾つかの実施形態が示され詳細に説明されたが、特許請求の範囲の精神及び範囲から逸脱することなく変更及び置換が可能であることが認識されるべきである。
【００７７】
上記の実施形態の他に更に以下の付記を開示する。
（付記１）  無線通信の方法であって、
基地局の少なくとも２つの無線通信機を同時に用いて、無線通信ネットワークの複数の無線チャネルの第１の走査を実行する段階；
該第１の走査に応答して、前記無線チャネルのうちの少なくとも２つに対してチャネル品質メトリックを決定する段階；
該チャネル品質メトリックを決定する段階に応答して、前記複数の無線チャネルのうちの第１の無線チャネルを選択する段階；及び
前記基地局の少なくとも２つの無線通信機を用いて、前記第１の無線チャネルで通信する段階；
を有する方法。
（付記２）  前記少なくとも２つの無線通信機を用いて前記第１の無線チャネルで通信する段階は、移動局と通信する段階、を有する、
ことを特徴とする付記１に記載の方法。
（付記３）  前記少なくとも２つの無線通信機を用いて前記第２の無線チャネルで通信する段階は、多入力多出力モードで通信する段階、を有する、
ことを特徴とする付記２に記載の方法。
（付記４）  有線通信ネットワークへのアクセスを提供するネットワーク・アクセス装置と通信セッションを確立する段階、及び
前記有線通信ネットワークから前記複数の無線チャネルを供給するために情報を受信する段階、
を更に有する付記１に記載の方法。
（付記５）  前記少なくとも２つの無線通信機のうちの第１の無線通信機が、前記第１の無線チャネルでの通信を停止する段階；
前記第１の無線通信機を用いて、前記複数の無線チャネルの第２の走査を実行する段階；
該第２の走査に応答して、前記無線チャネルのうちの少なくとも１つに対してチャネル品質メトリックを決定する段階；
前記少なくとも１つの無線チャネルのチャネル品質メトリックを決定する段階に応答して、第２の無線チャネルを選択する段階；及び
前記少なくとも２つの無線通信機を用いて、前記第２の無線チャネルで通信する段階；
を更に有する付記１に記載の方法。
（付記６）  前記無線ネットワークはＷｉＭＡＸネットワークを有する、
ことを特徴とする付記１に記載の方法。
（付記７）  前記第１の無線チャネルを選択する段階は、前記チャネル品質メトリックを雑音メトリックを有する閾と比較する段階、を更に有する、
ことを特徴とする付記１に記載の方法。
（付記８）  前記第１の無線チャネルを選択する段階は、前記決定されたチャネル品質メトリックを互いに比較する段階、を更に有する、
ことを特徴とする付記１に記載の方法。
（付記９）  無線通信の方法であって、
基地局の少なくとも２つの無線通信機を用いて、無線通信ネットワークの複数の無線チャネルのうちの第１の無線チャネルで通信する段階；
前記少なくとも２つの無線通信機のうちの第１の無線通信機が、前記第１の無線チャネルで通信するのを停止する段階；
前記第１の無線通信機を用いて、前記複数の無線チャネルの第１の走査を実行する段階；
該第１の走査に応答して、前記複数の無線チャネルのうちの少なくとも１つの無線チャネルのチャネル品質メトリックを決定する段階；
前記チャネル品質メトリックを決定する段階に応答して、前記複数の無線チャネルのうちの第２の無線チャネルを選択する段階；及び
前記基地局の前記少なくとも２つの無線通信機を用いて、前記第２の無線チャネルで通信する段階；
を有する方法。
（付記１０）  前記少なくとも２つの無線通信機を用いて前記第２の無線チャネルで通信する段階は、移動局と通信する段階、を有する、
ことを特徴とする付記９に記載の方法。
（付記１１）  前記少なくとも２つの無線通信機を用いて前記第２の無線チャネルで通信する段階は、多入力多出力モードで通信する段階、を有する、
ことを特徴とする付記１０に記載の方法。
（付記１２）  有線通信ネットワークへのアクセスを提供するネットワーク・アクセス装置と通信セッションを確立する段階、及び
前記有線通信ネットワークから前記複数の無線チャネルを供給するために情報を受信する段階、
を更に有する付記９に記載の方法。
（付記１３）  前記基地局の少なくとも２つの無線通信機を同時に用いて、前記複数の無線チャネルの第２の走査を実行する段階；
該第２の走査に応答して、前記無線チャネルのうちの少なくとも２つに対してチャネル品質メトリックを決定する段階；及び
前記チャネル品質メトリックを決定する段階に応答して、前記第１の無線チャネルを選択する段階；
を更に有する付記９に記載の方法。
（付記１４）  前記無線ネットワークはＷｉＭＡＸネットワークを有する、
ことを特徴とする付記９に記載の方法。
（付記１５）  前記第２の無線チャネルを選択する段階は、前記チャネル品質メトリックを雑音メトリックを有する閾と比較する段階、を更に有する、
ことを特徴とする付記９に記載の方法。
（付記１６）  前記第２の無線チャネルを選択する段階は、前記決定されたチャネル品質メトリックを互いに比較する段階、を更に有する、
ことを特徴とする付記９に記載の方法。
（付記１７）  無線通信のシステムであって、
無線通信ネットワークの複数の無線チャネルの第１の走査を同時に実行し、該第１の走査に応答して、前記無線チャネルのうちの少なくとも２つに対してチャネル品質メトリックを決定する少なくとも２つの無線通信機；及び
該チャネル品質メトリックの決定に応答して、前記複数の無線チャネルのうちの第１の無線チャネルを選択し、前記少なくとも２つの無線通信機に前記第１の無線チャネルで通信するよう指示するプロセッサ；
を有するシステム。
（付記１８）  前記少なくとも２つの無線通信機は、前記第１の無線チャネルで移動局と通信する、
ことを特徴とする付記１７に記載のシステム。
（付記１９）  前記少なくとも２つの無線通信機は、前記第１の無線チャネルで多入力多出力モードで通信する、
ことを特徴とする付記１８に記載のシステム。
（付記２０）  有線通信ネットワークへのアクセスを提供するネットワーク・アクセス装置と通信セッションを確立し、前記有線通信ネットワークから前記複数の無線チャネルを供給するために情報を受信するインタフェース；
を更に有する付記１７に記載のシステム。
（付記２１）  前記少なくとも２つの無線通信機は更に：
前記少なくとも２つの無線通信機のうちの第１の無線通信機が、前記第１の無線チャネルで通信するのを停止し；
前記第１の無線通信機を用いて前記複数の無線チャネルの第２の走査を実行し；及び
該第２の走査に応答して、前記無線チャネルのうちの少なくとも１つに対してチャネル品質メトリックを決定し；
前記プロセッサは更に：
前記無線チャネルのうちの少なくとも１つに対してチャネル品質メトリックを決定するのに応答して、前記複数の無線チャネルのうちの第２の無線チャネルを選択し；及び
前記少なくとも２つの無線通信機に前記第２の無線チャネルで通信するよう指示する；
ことを特徴とする付記１７に記載のシステム。
（付記２２）  前記無線通信ネットワークはＷｉＭＡＸネットワークを有する、
ことを特徴とする付記１７に記載のシステム。
（付記２３）  前記プロセッサは更に、前記チャネル品質メトリックを雑音メトリックを有する閾と比較する、
ことを特徴とする付記１７に記載のシステム。
（付記２４）  前記プロセッサは更に、前記チャネル品質メトリックを互いに比較する、
ことを特徴とする付記１７に記載のシステム。
（付記２５）  無線通信のシステムであって：
少なくとも２つの無線通信機のうちの第１の無線通信機が、無線通信ネットワークの複数の無線チャネルのうちの第１の無線チャネルで通信するのを停止し、前記第１の無線通信機を用いて前記複数の無線チャネルの第１の走査を実行し、該第１の走査に応答して、前記無線チャネルのうちの少なくとも１つに対してチャネル品質メトリックを決定する少なくとも２つの無線通信機；及び
前記無線チャネルのうちの少なくとも１つに対してチャネル品質メトリックを決定するのに応答して、前記複数の無線チャネルのうちの第２の無線チャネルを選択し、及び前記少なくとも２つの無線通信機に前記第２の無線チャネルで通信するよう指示するプロセッサ；
を有するシステム。
（付記２６）  前記少なくとも２つの無線通信機は更に、前記第２の無線チャネルで移動局と通信する、
ことを特徴とする付記２５に記載のシステム。
（付記２７）  前記少なくとも２つの無線通信機は更に、前記第２の無線チャネルで多入力多出力モードで通信する、
ことを特徴とする付記２６に記載のシステム。
（付記２８）  前記少なくとも２つの無線通信機は更に：
複数の無線チャネルの第２の走査を実行し；
該第２の走査に応答して、前記複数の無線チャネルのうちの少なくとも２つに対してチャネル品質メトリックを決定し；
前記プロセッサは更に：
該チャネル品質メトリックの決定に応答して、前記複数の無線チャネルのうちの第１の無線チャネルを選択し；及び
前記少なくとも２つの無線通信機に前記第１の無線チャネルで通信するよう指示する；
ことを特徴とするシステム。
（付記２９）  前記無線通信ネットワークはＷｉＭＡＸネットワークを有する、
ことを特徴とする付記２５に記載のシステム。
（付記３０）  前記プロセッサは、前記チャネル品質メトリックを雑音メトリックを有する閾と比較する、
ことを特徴とする付記２５に記載のシステム。
（付記３１）  前記プロセッサは、前記チャネル品質メトリックを互いに比較する、
ことを特徴とする付記２５に記載のシステム。
【符号の説明】
【００７８】
１００  通信システム
１１０、２００、２０５  ネットワーク
１２０、２１０  マクロ基地局（ｍＢＳ）
１３０  中継局（ＲＳ）
１４０、２７０  エンドポイント
１５０、２９０  無線接続
１６０  有線リンク
１７０  ノード
１８０、２５１  ネットワーク・アクセス装置
１９０  フェムト基地局（ｆＢＳ）
２１２、２５２、２７２  プロセッサ
２１４、２５４、２７４  メモリ
２１６、２５６  通信インタフェース
２１７、２５７、２７７  無線通信機
２１８、２５８、２７８  アンテナ
２２２  モデム
２２４  サーバ
２２６  ＩＳＰゲートウェイ
２３４  ゲートウェイ
【図１】
2010288280.tif 000003
【図２】
2010288280.tif 000004
【図３】
2010288280.tif 000005